(57)【要約】【課題】電源回路部の回路部品が一箇所に集中することに起因する熱源の集中及び重さの偏重を防止すると共に、回路部品が占めるスペースを分散させ、商品の薄型化及びデザインの自由度を高めることが出来る照明装置を提供する。【解決手段】ＬＥＤ３，３，３，…に電源を供給する電源回路部を複数の部分に分けて分散配置することにより、使用中に高温の熱を発する上、相当の重量を有する電源回路部の回路部品による熱源の集中及び重さの偏重を防止する。【選択図】図２
2009009804.tif 000002
【特許請求の範囲】
【請求項１】
光源と、該光源に電源を供給する電源回路部とを備える照明装置において、
前記電源回路部は複数の電源回路部品から構成され、該複数の電源回路部品が分散して設けられることを特徴とする照明装置。
【請求項２】
複数の光源と、該光源に電源を供給する電源回路部とを備える照明装置において、
前記電源回路部は、複数の部分電源回路部から構成され、
前記複数の部分電源回路部は、分散して設けられ、夫々が前記複数の光源の一部に独立して電源を供給することを特徴とする照明装置。
【請求項３】
光源と、該光源に電源を供給する電源回路部と、前記光源の照度を計測する照度センサ等のセンサ部を備える照明装置において、
前記電源回路部及び前記センサ部は、分散して設けられることを特徴とする照明装置。
【請求項４】
分散して設けられる前記複数の電源回路部品、前記複数の部分電源回路部または前記電源回路部と前記センサ部は、対称する位置に配置されることを特徴とする請求項１から３の何れか一つに記載の照明装置。
【請求項５】
前記光源はＬＥＤであることを特徴する請求項１から４の何れか一つに記載の照明装置。
【請求項６】
前記電源回路部にトランスが含まれることを特徴とする請求項１から５の何れか一つに記載の照明装置。
【請求項７】
請求項１から６の何れか一つに記載の照明装置は、
複数の光源を直列して配置した照明装置であって、前記電源回路部および／または前記センサ部は、照明装置の長手方向の両端部に分散して配置されることを特徴とする照明装置。
【発明の詳細な説明】
【技術分野】
【０００１】
本発明は、光源及び該光源に電源を供給する電源回路部を備える照明装置に関する。
【背景技術】
【０００２】
一般的に照明装置の光源としては、白熱電球、蛍光ランプ及び発光ダイオード（以下、ＬＥＤと言う）が広く知られている。
【０００３】
特にＬＥＤにおいては、青色ＬＥＤの開発により、青色ＬＥＤと、青色の光に励起され黄色に発光する蛍光体とから構成されるシングルチップ方式の白色ＬＥＤ、２色以上のＬＥＤによる混光を利用するマルチチップ方式の白色ＬＥＤ等の白色ＬＥＤが商用化されている。最近は、小型、省電力というＬＥＤの特徴から、特に照明装置の光源としてのＬＥＤの使用が急増している。
【０００４】
ＬＥＤの照明装置への適用の一例としては、ＬＥＤを照明装置の管内に備えることによって既存の蛍光ランプの外見を維持させ、既存の蛍光ランプ照明装置の活用を可能としたＬＥＤ照明装置が挙げられる。
【０００５】
例えば、特許文献１では、一面に複数の白色ＬＥＤが配列された支持板を透明な円筒パイプの中に設け、前記支持板の他面に前記白色ＬＥＤを点灯させるためのＡＣ／ＤＣ変換器、電圧制御部等の電源回路を設けた蛍光灯型ＬＥＤ照明装置を提案している。
【０００６】
また、特許文献２では、透光性部材内に複数のＬＥＤを設けたＬＥＤ装置を備え、該ＬＥＤ装置の一端部側に、回路基板及び電子部品を備える前記ＬＥＤを発光させるための点灯装置（電源回路）を設けたＬＥＤ照明装置を提案している。
【０００７】
上記特許文献１及び２に記載のＬＥＤ照明装置は、ＬＥＤを駆動する電源回路部は一つであり、かつＬＥＤが設けられた支持板の裏面または照明装置の一端の一箇所に設けられている。
【特許文献１】特開２００１−３５１４０２号公報
【特許文献２】特開２００４−３０９２９号公報
【発明の開示】
【発明が解決しようとする課題】
【０００８】
しかし、ＬＥＤ照明装置は、電源を供給するための電源回路部にトランス、抵抗等の回路部品が含まれている。これらの回路部品は夫々前記照明装置の使用中に高温の熱を発する上、相当の重量を有するので電源回路部には熱源及び重量が集中することになる。従って、熱源の集中による過熱の問題がある上に、例えば天井から吊り下げるいわゆるペンダント式照明装置においては設計の際、必ず照明装置のバランスを考慮する必要もあった。このような問題は、照明装置の明るさの増加ともに更に深刻化される。例えば、照明装置の明るさを２０Ｗから６０Ｗにした場合、消費電力が増加するのでトランスの容量も増加するが、トランスは容量と共に大きくなるので、上述したような熱源及び重量の集中の問題は更に大きくなり、さらに照明装置の大型化という問題もあった。
【０００９】
また、特許文献１の蛍光灯型ＬＥＤ照明装置は、複数の白色ＬＥＤを支持板の一面に配列し、支持板の他面に電源回路を設けているので、回路部品が支持板の他面に集中され回路部品が占めるスペースが集中し、商品のデザインに制限をもたらす上、商品の外観を損なう虞もある。
【００１０】
なお、特許文献２のＬＥＤ照明装置においては、複数のＬＥＤを設けた長い管状のＬＥＤ装置の一端部に点灯装置（電源回路）を設けているので、ペンダント式照明装置としての使用が制限されるという問題がある。さらに、このような一端に電源回路を有し、発光しない部分（電源回路）が照明装置に均等に配分されないで偏って設けられている照明装置では、天井に複数の照明装置を設けると、発光しない部分が目立ってしまっていた。
【００１１】
本発明は斯かる事情に鑑みてなされたものであり、その目的とするところは、前記電源回路部を複数の部分に分けて分散配置することにより、回路部品が一箇所に集中することに起因する熱源の集中及び重さの偏重を防止すると共に、回路部品が占めるスペースを分散させ、商品の薄型化及びデザインの自由度を高めることが出来る照明装置を提供することにある。
【課題を解決するための手段】
【００１２】
本発明に係る照明装置は、光源と、光源に電源を供給する電源回路部とを備える照明装置において、電源回路部は複数の電源回路部品から構成され、複数の電源回路部品が分散して設けられることを特徴とする。
【００１３】
本発明によれば、電源回路部を構成する電源回路部品が照明装置の一箇所に集中することに起因する熱源の集中及び重さの偏重を防止出来ると共に、電源回路部が占めるスペースを分散させ、商品の薄型化及びデザインの自由度を図ることが出来る。
【００１４】
本発明に係る照明装置は、複数の光源と、光源に電源を供給する電源回路部とを備える照明装置において、電源回路部は、複数の部分電源回路部から構成され、複数の部分電源回路部は、分散して設けられ、夫々が前記複数の光源の一部に独立して電源を供給することを特徴とする。
【００１５】
本発明によれば、電源回路部を構成する部分電源回路部が照明装置の一箇所に集中することに起因する熱源の集中及び重さの偏重を防止出来ると共に、電源回路部が占めるスペースを分散させ、商品の薄型化及びデザインの自由度を図ることが出来る。また、一方の部分電源回路部が故障等により、一部の光源が消灯してしまったとしても、その他の光源は点灯することが可能である。
【００１６】
本発明に係る照明装置は、光源と、光源に電源を供給する電源回路部と、光源の照度を計測する照度センサ等のセンサ部を備える照明装置において、電源回路部及びセンサ部は、分散して設けられることを特徴とする。
【００１７】
本発明によれば、センサ部を有する照明装置であっても、回路部品等の重さの偏重防止と、発光しない部分（電源回路部およびセンサ部）を照明装置に均等に分散して配置することが可能となり、天井等に複数の照明装置を設置しても、発光しない部分が目立たなくすることが可能である。
【００１８】
本発明に係る照明装置は、さらに、分散して設けられる前記複数の電源回路部品、複数の部分電源回路部または電源回路部とセンサ部は、対称する位置に配置されることを特徴とする。
【００１９】
本発明によれば、回路部品等の重さの偏重防止と、発光しない部分（電源回路部および／またはセンサ部）を照明装置に均等に分散して配置することが可能となり、天井等に複数の照明装置を設置しても、発光しない部分が目立たなくすることが可能である。
【００２０】
本発明に係る照明装置は、さらに、光源はＬＥＤであることを特徴する。
【００２１】
本発明によれば、ＬＥＤに電源を供給する電源回路部を分散して配置でき、照明装置の薄型化が可能である。
【００２２】
本発明に係る照明装置は、さらに、電源回路部にトランスが含まれることを特徴とする。
【００２３】
本発明によれば、特に電源回路部の中で大きいトランスを分散させることによって、トランス一つあたりの容量を小さくすることができ、電源回路部の大きさが抑えられ、照明装置の薄型化が可能となる。
【００２４】
本発明に係る照明装置は、さらに、複数の光源を直列して配置した照明装置であって、電源回路部および／またはセンサ部は、照明装置の長手方向の両端部に分散して配置されることを特徴とする。
【００２５】
本発明によれば、複数の光源を直列に配置した照明装置において、熱源の集中及び重さの偏重を防止出来ると共に、電源回路部および／またはセンサ部が占めるスペースを分散させ、商品の薄型化及びデザインの自由度を図ることが出来る。
【発明の効果】
【００２６】
本発明によれば、電源回路部の回路部品が一箇所に集中することに起因する熱源の集中及び重さの偏重を防止出来ると共に、回路部品が占めるスペースを分散させ、商品の薄型化及びデザインの自由度を図ることが出来る。
【発明を実施するための最良の形態】
【００２７】
（実施の形態１）
以下、本発明の実施の形態１を、図面を参照して説明する。図１は、本発明の実施の形態１に係る照明装置の外観図、図２は図１のII−II線による要部分解断面図、図３は要部分解斜視図である。
【００２８】
実施の形態１に係る照明装置は、複数のＬＥＤ３，３，３，…と、ＬＥＤ３，３，３，…が実装されている基板２と、ＬＥＤ３，３，３，…に電源を供給する２つの部分電源回路部５ａ，５ｂからなる電源回路部５と、ＬＥＤ３，３，３，…、基板２及び電源回路部５を収容する収容部材１と、ＬＥＤ３，３，３，…の光を透光させる透光部４とを備えている。
【００２９】
収容部材１は扁平な直方体状の筐体である。収容部材１は長方形の底板１２と、底板１２の両長辺側縁から底板１２に対して直交する方向に延びる長辺側側壁１３，１３と、底板１２の両短辺側縁から底板１２と直交する方向に延びる短辺側側壁１４，１４とを有しており、底板１２の対向側に開口１１を有している。短辺側側壁１４，１４の縁部の中央には透光部４をネジ止めするための貫通孔１４ａ，１４ａを設けており、底板１２の長手方向の両端側には部分電源回路部５ａ，５ｂをネジ止めするための貫通孔１２ａ，１２ａ，１２ａ，１２ａ及び貫通孔１２ｂ，１２ｂ，１２ｂ，１２ｂを夫々設けている。底板１２、長辺側側壁１３，１３及び短辺側側壁１４，１４はアルミニウム製であり一対形成されている。
【００３０】
収容部材１の底板１２の内側には８枚の基板２，２，２，…がネジ止めされている。各基板２は長方形をなし、ガラス繊維を含有するエポキシ樹脂製である。各基板２の一面には複数のＬＥＤ３，３，３，…からなる３つのＬＥＤ列が長手方向に実装されている。８枚の基板２，２，２，…は４枚ずつ長手方向に並設されて２つの基板列Ｍ１，Ｍ２を形成し、底板１２の長手方向に沿って配置されている。２つの基板列Ｍ１，Ｍ２の間には端子６が設けられており、底板１２の中央部に設けている貫通孔１５を介して外側から収容部材１内に配線される電線が接続される。基板２，２，２，…及び底板１２の間には熱伝導性及び絶縁性を有する絶縁シート７（例えば、ポリフェニレンサルファイド樹脂）が介装されている。これにより、ＬＥＤ３，３，３，…にて発生した熱は、基板２，２，２，…及び絶縁シート４を介して収容部材１に伝達され、空気中に放熱される。
【００３１】
２つの基板列Ｍ１，Ｍ２の両端側には、ＬＥＤ３，３，３，…に電源を独立的に供給する２つの部分電源回路部５ａ，５ｂが夫々設けられている。部分電源回路部５ａ，５ｂはトランス、抵抗、コンデンサ等の各種回路部品を夫々備えており、直方体形状の筐体であるカバー５１ａ，５１ｂによって覆われている。部分電源回路部５ａ，５ｂは底板１２と対向する面の縁に、前記面方向に延びる固定鍔５２ａ，５２ｂを備え、固定鍔５２ａ，５２ｂには部分電源回路部５ａ，５ｂを底板１２にネジ止めするための貫通孔５３ａ，５３ａ，５３ａ，５３ａ及び貫通孔５３ｂ，５３ｂ，５３ｂ，５３ｂを夫々設けている。底板１２には、貫通孔５３ａ，５３ａ，５３ａ，５３ａ及び貫通孔５３ｂ，５３ｂ，５３ｂ，５３ｂと対向する位置に、貫通孔１２ａ，１２ａ，１２ａ，１２ａ及び貫通孔１２ｂ，１２ｂ，１２ｂ，１２ｂが夫々設けられており、これらの貫通孔にオネジを挿通して部分電源回路部５ａ，５ｂを底板１２にネジ止めしている。
【００３２】
部分電源回路部５ａは、２つの基板列Ｍ１，Ｍ２の内、一の基板列Ｍ１に電源を供給し、部分電源回路部５ｂは他の基板列Ｍ２に電源を供給するように構成されている。つまり、電源回路部が一箇所に集中しておらず、部分電源回路部５ａ及び部分電源回路部５ｂに容量を分けて分散配置されている。従って、電源回路部を分散させていない場合に比べ、トランス、抵抗等の回路部品当たりの発生熱量が減少する上、これら回路部品の大きさも減少する。すなわち、発熱の減少及び分散により、熱源の集中から起こしうる過熱の問題を緩和することが出来ると共に、これら回路部品が占めるスペースの減少により、薄型化を図ることが出来る。特に回路部品の中ではトランスが大きいため電源回路部の大きさはトランスの大きさに左右されるが、電源回路部を分散させて複数のトランスを備えることにより、トランス一つあたりの容量を小さくでき電源回路部の大きさが抑えられ、照明装置の薄型化が可能となる。また、電源回路部が一箇所に集中せず分散して配置されているので、照明装置全体において重さの偏重が起きずバランスが取れ、ペンダント式照明装置としての使用も可能になる。特に、本実施の形態のように、照明装置の両端部等の対称性があるように設置されていることが好ましい。
【００３３】
また、部分電源回路部５ａ及び５ｂは、収容部材１の基板２が設けられている面と同一の面に設けられている。よって、電源回路部５を設けることによって生じる収容部材１と透光部４との間の空間に基板２およびＬＥＤ３を収容することができる。
【００３４】
透光部４は収容部材１の開口１１を覆い、ＬＥＤ３，３，３，…の光を透光させる。透光部４は耐衝撃性及び耐熱性に優れた乳白色のポリカーボネート樹脂製であり、トンネル状に湾曲した湾曲板４１及び湾曲板４１の両端を封じる半円状の側壁４３，４３を有している。湾曲板４１の内側には、透光部４に入射して外部に出射する光が均一に出射するように光を拡散すべく、微細なレンズが多数形成されたマイクロレンズシート４２が設けられている。よって、透光部４に入射する光は、グレアの低減及び光束のバラつきによる不均一性が緩和され、外部へ出射される。一方、側壁４３，４３の縁には、透光部４を収容部材１に固定するための半円状の固定爪４４ａ，４４ｂを延設しており、固定爪４４ａ，４４ｂの中央部には貫通孔４５，４５を夫々設けている。収容部材１の短辺側側壁１４，１４には、固定爪４４ａ，４４ｂの貫通孔４５，４５と対向する位置に貫通孔１４ａ，１４ｂが夫々設けられており、これらの貫通孔にオネジを挿通して透光部４を収容部材１にネジ止めしている。
【００３５】
図４は、本発明の実施の形態１に係る照明装置の電気回路図である。説明の便宜上、基板列Ｍ１（図中点線で表示）のＬＥＤ３，３，３，…と、基板列Ｍ１のＬＥＤ３，３，３，…に電源を供給する部分電源回路部５ａ（図中一点鎖線で表示）を例として、本発明の実施の形態１に係る照明装置の電気的構造を説明する。
【００３６】
商用交流電圧は端子６を介して部分電源回路部５ａに供給され、部分電源回路部５ａは基板列Ｍ１のＬＥＤ３，３，３，…に電源を供給して点灯させる。部分電源回路部５ａは電流ヒューズＦ１，Ｆ２を介して端子６と接続しており、電流ヒューズＦ１，Ｆ２は過電流が発生した場合、速やかに溶断し、発煙、発火から回路を保護する。また、部分電源回路部５ａは、電流ヒューズＦ１，Ｆ２からの電圧を平滑化するコイルＬ１，Ｌ２と、平滑化された電圧を全波整流するダイオードブリッジＤ１と、ダイオードブリッジＤ１からの電流（脈波）を交流に変換する変換部Ｐ１とを備えている。変換部Ｐ１は電界効果トランジスタＦＥＴと、電界効果トランジスタＦＥＴのスイッチングを制御し、交流の周波数を変換させる制御部ＩＣ１と、抵抗Ｒ１と、抵抗Ｒ２とを備えている。更に部分電源回路部５ａは、交流に変換された電圧を降圧するトランジスタＴ１と、ダイオードＤ２及びコンデンサＣ１を備え、降圧された電圧を半波整流する半波整流部Ｐ２と、安定化回路Ｐ３とを備えている。安定化回路Ｐ３はシャントレギュレータＩＣ２、抵抗Ｒ３、抵抗Ｒ４及び抵抗Ｒ５を備えている。シャントレギュレータＩＣ２はトランジスタを内装しており、該トランジスタに流れる電流を調整することにより、出力電圧の上昇を抑える。なお、部分電源回路部５ａは、ＬＥＤ及びフォトトランジスタからなるフォトカプラーＰＣ１を備えている。フォトカプラーＰＣ１は抵抗Ｒ３及びシャントレギュレータＩＣ２の間を流れる電流によって前記ＬＥＤが発光し、該ＬＥＤの光で前記フォトトランジスタを導通させ、制御部ＩＣ１に電気信号を送る。制御部ＩＣ１はフォトカプラーＰＣ１からの電気信号に応じて電界効果トランジスタＦＥＴのスイッチングを制御する。
【００３７】
実施の形態１においては、電源が供給された場合、部分電源回路部５ａ及び部分電源回路部５ｂが同時に電源を供給し、基板列Ｍ１及び基板列Ｍ２のＬＥＤ３，３，３，…が全て点灯する場合を例として説明したが、これに限るものでなく、部分電源回路部５ａ及び部分電源回路部５ｂを個別に制御可能にする制御部を別途に設けて構成し、基板列Ｍ１及び基板列Ｍ２何れか一方のＬＥＤ３，３，３，…のみを独立して点灯させることが出来るようにしても良い。
【００３８】
この場合、一方の部分電源回路部が故障等により、一列の基板列のＬＥＤが消灯してしまったとしても、もう一方の基板列のＬＥＤは点灯することが可能である。また、使用者の操作により部分電源回路部を制御の切り替えを行い、照明装置の輝度の調節が可能となるように操作部を設けて調光ができるようにしてもよい。
【００３９】
また、本実施の形態では、複数の部分電源回路部を基板列に対応させて分散させているが、これに限定されず、それぞれの部分電源回路が複数のＬＥＤの一部に独立して電源を供給できるようにしていればよい。例えば、基板２にマトリクス状に実装された複数のＬＥＤに対して一つおきに互い違いに複数の部分電源回路部から電源が供給すれるようにしていてもよい。この場合、一方の部分電源回路部のみで照明装置を駆動しても、基板一面から光が発せられるので、指向性の強いＬＥＤが光源であっても、照射範囲は確保される。
【００４０】
（実施の形態２）
図５は本発明の実施の形態２に係る照明装置の透光部４を分離した状態の斜視図である。なお、実施の形態１と同一の部分については同一の符号を付してその詳細な説明を省略する。
【００４１】
実施の形態２に係る照明装置の収容部材１は扁平な直方体状の筐体である。収容部材１は矩形の底板１２と、底板１２の各縁から底板１２に対して直交する方向に延びる長方形の側壁１３，１３，１４，１４とを有しており、底板１２の対向側に開口１１を有している。各側壁１３，１３，１４，１４は、底板１２側の頂点部分に透光部４をネジ止めするための２つの貫通孔１３ａ，１３ａ又は貫通孔１４ａ，１４ａを夫々設けている。底板１２及び側壁１３，１３，１４，１４はアルミニウム製であり一対形成されている。
【００４２】
収容部材１の底板１２の内側には、長方形である４枚の基板２ａ，２ｂ，２ｃ，２ｄが幅方向に適宜間隔をおいて並設されている。基板２ａ，２ｂ，２ｃ，２ｄはガラス繊維を含有するエポキシ樹脂製である。各基板２ａ，２ｂ，２ｃ，２ｄの一面には複数のＬＥＤ３，３，３，…からなる３つのＬＥＤ列が、基板２ａ，２ｂ，２ｃ，２ｄの長手方向に実装されている。基板２ａ，２ｂ，２ｃ，２ｄ及び底板１２の間には、熱伝導性及び絶縁性を有するポリフェニレンサルファイド樹脂製の絶縁シート（図示せず）が介装されている。これにより、ＬＥＤ３，３，３，…にて発生した熱は、基板２ａ，２ｂ，２ｃ，２ｄ及び前記絶縁シートを介して収容部材１に伝達され、空気中に放熱される。
【００４３】
４枚の基板２ａ，２ｂ，２ｃ，２ｄの長手方向の両端側には、各基板２ａ，２ｂ，２ｃ，２ｄのＬＥＤ３，３，３，…へ独立的に電源を供給する４つの部分電源回路部５ａ，５ｂ，５ｃ，５ｄが夫々設けられている。４つの部分電源回路部５ａ，５ｂ，５ｃ，５ｄは、直方体形状の筐体であるカバー５１ａ，５１ｂ，５１ｃ，５１ｄによって夫々覆われている。また、４つの部分電源回路部５ａ，５ｂ，５ｃ，５ｄは、２つずつ基板２ａ，２ｂ，２ｃ，２ｄの長手方向の両端側に分散配置されており、側壁１３，１３に沿ってカバー５１ａ，５１ｂ，５１ｃ，５１ｄの長手方向に適宜間隔をおいて併設されている。
【００４４】
部分電源回路部５ａは４つの基板２ａ，２ｂ，２ｃ，２ｄの内、基板２ａのＬＥＤ３，３，３，…に電源を供給し、部分電源回路部５ｂは基板２ｂのＬＥＤ３，３，３，…に電源を供給し、部分電源回路部５ｃは基板２ｃのＬＥＤ３，３，３，…に電源を供給し、部分電源回路部５ｄは基板２ｄのＬＥＤ３，３，３，…に電源を供給するように構成されている。つまり、電源回路部が一箇所に集中しておらず、部分電源回路部５ａ、部分電源回路部５ｂ、部分電源回路部５ｃ及び部分電源回路部５ｄに容量を分けて分散配置されている。従って、電源回路部を分散させていない場合に比べ、トランス、抵抗等の回路部品当たりの発生熱量が減少する上、これら回路部品の大きさも減少する。すなわち、発熱の減少及び分散により、熱源の集中から起こしうる過熱の問題を緩和することが出来ると共に、これら回路部品が占めるスペースの減少により、薄型化を図ることが出来る。また、電源回路部が一箇所に集中せず分散配置されているので、照明装置全体において重さの偏重が起きずバランスが取れ、ペンダント式照明装置としての使用も可能になる。
【００４５】
透光部４は収容部１を覆い、ＬＥＤ３，３，３，…の光を透光させる。透光部４は耐衝撃性及び耐熱性に優れた乳白色のポリカーボネート樹脂製であり、収容部材１の開口１１と対向側に開口（図示せず）を有する直方体形状の筐体である。透光部４の前記開口は収容部材１の開口１１に倣う形状を有しており、収容部材１が透光部４に内嵌される。透光部４は前記開口側の縁部であって、透光部４に収容部材１が内嵌された場合収容部材１の貫通孔１３ａ，１３ａ，…，１４ａ，１４ａ，…に対向する位置に、貫通孔４５，４５，４５…を設けている。収容部材１の貫通孔１３ａ，１３ａ，…，１４ａ，１４ａ，…及び貫通孔４５，４５，４５…にオネジを挿通して透光部４を収容部材１にネジ止めする。
【００４６】
（実施の形態３）
図６は本発明の実施の形態３に係る照明装置の透光部４を分離した状態の斜視図である。なお、実施の形態１及び実施の形態２と同一の部分については同一の符号を付してその詳細な説明を省略する。
【００４７】
実施の形態３に係る照明装置の収容部材１は扁平な円筒状の筐体である。収容部材１は円形の底板１２と、底板１２の縁から底板１２に対して直交する方向に延びる周壁１３とを有しており、底板１２と対向側に開口１１を有している。周壁１３の外周面には、透光部４が着脱可能に螺合されるためのオネジ部１３１を設けている。底板１２及び周壁１３はアルミニウム製であり一対形成されている。
【００４８】
収容部材１の底板１２の内側には、平面視にて扇形である４枚の基板２ａ，２ｂ，２ｃ，２ｄが、同一の軸を中心として放射状に並設され、略円板状をなしている。基板２ａ，２ｂ，２ｃ，２ｄはガラス繊維を含有するエポキシ樹脂製である。各基板２ａ，２ｂ，２ｃ，２ｄの一面には複数のＬＥＤ３，３，３，…が、実装されている。基板２ａ，２ｂ，２ｃ，２ｄ及び底板１２の間には、熱伝導性及び絶縁性を有するポリフェニレンサルファイド樹脂製の絶縁シート（図示せず）が介装されている。これにより、ＬＥＤ３，３，３，…にて発生した熱は、基板２ａ，２ｂ，２ｃ，２ｄ及び前記絶縁シートを介して収容部材１に伝達され、空気中に放熱される。
【００４９】
４枚の基板２ａ，２ｂ，２ｃ，２ｄ及び周壁１３の間には、各基板２ａ，２ｂ，２ｃ，２ｄのＬＥＤ３，３，３，…へ独立的に電源を供給する４つの部分電源回路部５ａ，５ｂ，５ｃ，５ｄが設けられている。４つの部分電源回路部５ａ，５ｂ，５ｃ，５ｄは、周壁１３の内側に沿って湾曲する筐体であるカバー５１ａ，５１ｂ，５１ｃ，５１ｄによって夫々覆われ、基板２ａ，２ｂ，２ｃ，２ｄに対して周設されている。また、各部分電源回路部５ａ，５ｂ，５ｃ，５ｄは周壁１３の円周方向に一定間隔をおいて分散配置されている。
【００５０】
部分電源回路部５ａは４つの基板２ａ，２ｂ，２ｃ，２ｄの内、基板２ａのＬＥＤ３，３，３，…に電源を供給し、部分電源回路部５ｂは基板２ｂのＬＥＤ３，３，３，…に電源を供給し、部分電源回路部５ｃは基板２ｃのＬＥＤ３，３，３，…に電源を供給し、部分電源回路部５ｄは基板２ｄのＬＥＤ３，３，３，…に電源を供給するように構成されている。つまり、電源回路部が一箇所に集中しておらず、部分電源回路部５ａ、部分電源回路部５ｂ、部分電源回路部５ｃ及び部分電源回路部５ｄに容量を分けて分散配置されている。従って、電源回路部を分散させていない場合に比べ、トランス、抵抗等の回路部品当たりの発生熱量が減少する上、これら回路部品の大きさも減少する。すなわち、発熱の減少及び分散により、熱源の集中から起こしうる過熱の問題を緩和することが出来ると共に、これら回路部品が占めるスペースの減少により、薄型化を図ることが出来る。また、電源回路部が一箇所に集中せず分散配置されているので、照明装置全体において重さの偏重が起きずバランスが取れ、ペンダント式照明装置としての使用も可能になる。
【００５１】
透光部４は収容部材１を覆い、ＬＥＤ３，３，３，…の光を透光させる。透光部４は耐衝撃性及び耐熱性に優れた乳白色のポリカーボネート樹脂製であり、収容部材１の開口１１と対向側に開口（図示せず）を有する円筒状の筐体である。透光部４の前記開口は収容部材１の開口１１に倣う形状を有しており、収容部材１は透光部４と螺合される。透光部４は前記開口側の内側に、収容部材１のオネジ部１３１と螺合するためのメネジ部（図示せず）を備えており、透光部４の前記メネジ部及び収容部材１のオネジ部１３１の螺合により、透光部４は収容部材１に固定される。
【００５２】
以上、実施の形態１から３において、電源回路部が複数の部分電源回路部から構成され、それぞれの部分電源回路部が光源の一部に部分的に独立して電源を供給する照明装置を例示して説明した。しかし、光源に電源を供給する電源回路部は一つであり、電源回路部を構成する複数の電源回路部品が分散して設けられる構成であってもよい。この場合であっても、回路部品が一箇所に集中することに起因する熱源の集中及び重さの偏重を防止すると共に、回路部品が占めるスペースを分散させ、商品の薄型化及びデザインの自由度を高めることが可能である。
【００５３】
また、照明装置は、照明装置の周囲の照度を検出する照度センサや赤外線により人を感知する人感センサ等のセンサ部を備え、電源回路部とセンサ部が分散されて設けられていてもよい。この場合であっても、回路部品等の重さの偏重防止と、発光しない部分（電源回路部およびセンサ部）を照明装置に均等に分散して配置することが可能となり。天井等に複数の照明装置を設置しても、発光しない部分が目立たなくすることが可能である。
【図面の簡単な説明】
【００５４】
【図１】本発明の実施の形態１に係る照明装置の外観図である。
【図２】図１のII−II線による要部分解断面図である。
【図３】本発明の実施の形態１に係る照明装置の要部分解斜視図である。
【図４】本発明の実施の形態１に係る照明装置の電気回路図である。
【図５】本発明の実施の形態２に係る照明装置の透光部を分離した状態の斜視図である。
【図６】本発明の実施の形態３に係る照明装置の透光部を分離した状態の斜視図である。
【符号の説明】
【００５５】
１  収容部材
２  基板
３  ＬＥＤ
５  電源回路部
５ａ，５ｂ  部分電源回路部
【図１】
2009009804.tif 000003
【図２】
2009009804.tif 000004
【図３】
2009009804.tif 000005
【図４】
2009009804.tif 000006
【図５】
2009009804.tif 000007
【図６】
2009009804.tif 000008